(57)【要約】【課題】栓蓋を上下動させる作動部がアタッチメント部材から不意に外れてしまうことを抑制した排水栓装置を提供する。【解決手段】水槽の排水口に設けられ、栓蓋を上下動させて前記排水口を開閉する排水栓装置において、栓蓋と、前記栓蓋を上下動させる作動部と、前記作動部を前記排水口に設置するアタッチメント部材と、を備え、前記アタッチメント部材は、前記作動部を保持する筒状の保持部を有し、前記保持部は、筒状の本体部と、前記本体部の側方に設けられ、前記作動部を側方から前記本体部内に水平方向に挿入可能とする開口部と、前記本体部内に挿入された前記作動部の上部が前記本体部から水平方向に抜け出ることを抑制する抜け止め部と、を有することを特徴とする排水栓装置である。【選択図】図２
2018115467.tif 000002
【特許請求の範囲】
【請求項１】
水槽の排水口に設けられ、栓蓋を上下動させて前記排水口を開閉する排水栓装置において、
栓蓋と、
前記栓蓋を上下動させる作動部と、
前記作動部を前記排水口に設置するアタッチメント部材と、
を備え、
前記アタッチメント部材は、前記作動部を保持する筒状の保持部を有し、
前記保持部は、
筒状の本体部と、
前記本体部の下端から上端まで連続して前記本体部の側方に設けられ、第１領域と、前記第１領域の上に位置する第２領域と、を有し、前記作動部を側方から前記本体部内に水平方向に挿入可能とする開口部と、
前記本体部に設けられ、前記第２領域において前記開口部側に突出し、前記第２領域の横幅を前記第１領域の横幅よりも狭くすることにより、前記本体部内に挿入された前記作動部の上部が前記本体部から水平方向に抜け出ることを抑制する抜け止め部と、
を有することを特徴とする排水栓装置。
【請求項２】
水槽の排水口に設けられ、栓蓋を上下動させて前記排水口を開閉する排水栓装置において、
栓蓋と、
前記栓蓋を上下動させる作動部と、
前記作動部を前記排水口に設置するアタッチメント部材と、
を備え、
前記アタッチメント部材は、前記作動部を保持する筒状の保持部を有し、
前記保持部は、
筒状の本体部と、
前記本体部の側方に設けられ、前記作動部を側方から前記本体部内に水平方向に挿入可能とする開口部と、
前記本体部に設けられ、前記開口部の上方において前記本体部の前記開口部の両側の部分と連続することにより、前記本体部内に挿入された前記作動部の上部が前記本体部から水平方向に抜け出ることを抑制する抜け止め部と、
を有することを特徴とする排水栓装置。
【請求項３】
水槽の排水口に設けられ、栓蓋を上下動させて前記排水口を開閉する排水栓装置において、
栓蓋と、
前記栓蓋を上下動させる作動部と、
前記作動部を前記排水口に設置するアタッチメント部材と、
を備え、
前記アタッチメント部材は、前記作動部を保持する筒状の保持部を有し、
前記保持部は、
筒状の本体部と、
前記本体部の下端から上端まで連続して前記本体部の側方に設けられ、前記作動部を側方から前記本体部内に水平方向に挿入可能とする開口部と、
前記本体部に取り付けられ、前記開口部の広がりを規制することにより、前記本体部内に挿入された前記作動部の上部が前記本体部から水平方向に抜け出ることを抑制する抜け止め部と、
を有することを特徴とする排水栓装置。
【請求項４】
前記抜け止め部の下端は、下方に向かうほど前記開口部の横幅が広くなるように傾斜していることを特徴とする請求項１記載の排水栓装置。
【請求項５】
前記抜け止め部は、前記本体部の前記開口部に隣接する両側端を連結するように前記本体部に取り付けられることを特徴とする請求項３記載の排水栓装置。
【請求項６】
前記抜け止め部は、前記本体部の外側を囲うように取り付けられる筒状であることを特徴とする請求項３記載の排水栓装置。
【請求項７】
前記アタッチメント部材は、前記水槽に対して前記開口部が所定の方向を向くように前記開口部の位置を規制する規制部を、さらに有することを特徴とする請求項１〜６のいずれか１つに記載の排水栓装置。
【請求項８】
前記規制部は、前記保持部と一体であることを特徴とする請求項７記載の排水栓装置。
【発明の詳細な説明】
【技術分野】
【０００１】
本発明の態様は、一般的に、排水栓装置に関する。
【背景技術】
【０００２】
栓蓋を上下動させることで、浴槽などの水槽の排水口を開閉する排水栓装置が知られている（例えば、特許文献１）。排水栓装置は、栓蓋と、栓蓋を上下動させる作動部と、作動部を排水口に取り付けるためのアタッチメント部材と、を備える。作動部は、ワイヤなどを介して操作部と接続され、操作部の操作に応じて栓蓋を上下動させる。
【０００３】
アタッチメント部材は、側方に開口部を有する筒状の保持部を有する。作動部は、開口部を介して水平方向から筒状の保持部に差し込むことにより、保持部に保持される。これにより、組み付け時に上下方向（作動部の可動する方向）に負荷が加わり、作動部やワイヤなどが破損してしまうことを抑制することができる。
【０００４】
例えば、排水口や排水栓装置の清掃などのために、排水栓装置を浴槽などに取り付けた後、栓蓋を取り外す場合がある。栓蓋は、排水口から上昇させた状態で上方に引っ張り、作動部から引き抜くことで取り外される。この際、取り外しの操作に不慣れな使用者などにおいては、栓蓋に対して水平方向にも力を加えてしまう場合がある。
【０００５】
このように、栓蓋の取り外しの際に、水平方向に力を加えてしまうと、栓蓋に接続されている作動部にも水平方向に力が加わることとなるため、場合によっては、作動部がアタッチメント部材の保持部から抜ける方向に力が加わり、作動部の上部が保持部から抜けてしまう可能性がある。排水栓装置を浴槽などに取り付けた後の状態では、作動部を再び保持部内に挿入する操作が難しく、使用者などに余計な手間をかけさせてしまう。また、例えば、作動部の上部が保持部から抜けた状態で無理に栓蓋を取り付けると、所望の位置に栓蓋を配置できなくなり、栓蓋と排水口との水密性が低下してしまう可能性が生じる。このため、排水栓装置では、栓蓋を上下動させる作動部がアタッチメント部材から不意に外れてしまうことを抑制することが望まれる。
【先行技術文献】
【特許文献】
【０００６】
【特許文献１】特開２０１４−９５０４号公報
【発明の概要】
【発明が解決しようとする課題】
【０００７】
本発明は、かかる課題の認識に基づいてなされたものであり、栓蓋を上下動させる作動部がアタッチメント部材から不意に外れてしまうことを抑制した排水栓装置を提供することを目的とする。
【課題を解決するための手段】
【０００８】
第１の発明は、水槽の排水口に設けられ、栓蓋を上下動させて前記排水口を開閉する排水栓装置において、栓蓋と、前記栓蓋を上下動させる作動部と、前記作動部を前記排水口に設置するアタッチメント部材と、を備え、前記アタッチメント部材は、前記作動部を保持する筒状の保持部を有し、前記保持部は、筒状の本体部と、前記本体部の下端から上端まで連続して前記本体部の側方に設けられ、第１領域と、前記第１領域の上に位置する第２領域と、を有し、前記作動部を側方から前記本体部内に水平方向に挿入可能とする開口部と、前記本体部に設けられ、前記第２領域において前記開口部側に突出し、前記第２領域の横幅を前記第１領域の横幅よりも狭くすることにより、前記本体部内に挿入された前記作動部の上部が前記本体部から水平方向に抜け出ることを抑制する抜け止め部と、を有することを特徴とする排水栓装置である。
【０００９】
この排水栓装置によれば、開口部の第１領域において作動部の側方からの挿入し易さを確保することができる。また、本体部内に挿入された作動部に対して、本体部から水平方向に抜ける方向に力が加わり、開口部の横幅が広がったとしても、開口部の第２領域の横幅が、作動部の横幅よりも広くなることを抜け止め部によって抑制することができる。従って、作動部がアタッチメント部材の保持部から水平方向に抜ける方向に力が加わったとしても、作動部がアタッチメント部材から不意に外れてしまうことを抑制することができる。
【００１０】
第２の発明は、水槽の排水口に設けられ、栓蓋を上下動させて前記排水口を開閉する排水栓装置において、栓蓋と、前記栓蓋を上下動させる作動部と、前記作動部を前記排水口に設置するアタッチメント部材と、を備え、前記アタッチメント部材は、前記作動部を保持する筒状の保持部を有し、前記保持部は、筒状の本体部と、前記本体部の側方に設けられ、前記作動部を側方から前記本体部内に水平方向に挿入可能とする開口部と、前記本体部に設けられ、前記開口部の上方において前記本体部の前記開口部の両側の部分と連続することにより、前記本体部内に挿入された前記作動部の上部が前記本体部から水平方向に抜け出ることを抑制する抜け止め部と、を有することを特徴とする排水栓装置である。
【００１１】
この排水栓装置によれば、抜け止め部の下方の開口部において作動部の側方からの挿入し易さを確保することができる。また、本体部内に挿入された作動部に対して、本体部から水平方向に抜ける方向に力が加わった場合に、抜け止め部が、開口部の横幅の広がりを抑制するとともに、抜け止め部が、作動部の上部と当接し、作動部が本体部から水平方向に抜けることを抑制する。従って、作動部がアタッチメント部材の保持部から水平方向に抜ける方向に力が加わったとしても、作動部がアタッチメント部材から不意に外れてしまうことを抑制することができる。
【００１２】
第３の発明は、水槽の排水口に設けられ、栓蓋を上下動させて前記排水口を開閉する排水栓装置において、栓蓋と、前記栓蓋を上下動させる作動部と、前記作動部を前記排水口に設置するアタッチメント部材と、を備え、前記アタッチメント部材は、前記作動部を保持する筒状の保持部を有し、前記保持部は、筒状の本体部と、前記本体部の下端から上端まで連続して前記本体部の側方に設けられ、前記作動部を側方から前記本体部内に水平方向に挿入可能とする開口部と、前記本体部に取り付けられ、前記開口部の広がりを規制することにより、前記本体部内に挿入された前記作動部の上部が前記本体部から水平方向に抜け出ることを抑制する抜け止め部と、を有することを特徴とする排水栓装置である。
【００１３】
この排水栓装置によれば、開口部の側方から本体部内に水平方向に作動部を挿入した後に抜け止め部を取り付けることにより、作動部の側方からの挿入し易さを確保することができる。そして、抜け止め部の取り付け後においては、本体部内に挿入された作動部に対して、本体部から水平方向に抜ける方向に力が加わったとしても、開口部の横幅が作動部の横幅よりも広くなることを、抜け止め部が抑制する。従って、作動部がアタッチメント部材の保持部から水平方向に抜ける方向に力が加わったとしても、作動部がアタッチメント部材から不意に外れてしまうことを抑制することができる。
【００１４】
第４の発明は、第１の発明において、前記抜け止め部の下端は、下方に向かうほど前記開口部の横幅が広くなるように傾斜していることを特徴とする排水栓装置である。
【００１５】
この排水栓装置によれば、開口部を押し広げながら作動部を本体部内に側方から挿入する際に、抜け止め部の下端の傾斜に沿って開口部を徐々に押し広げることができ、排水栓装置の組み付け作業をより容易にすることができる。
【００１６】
第５の発明は、第３の発明において、前記抜け止め部は、前記本体部の前記開口部に隣接する両側端を連結するように前記本体部に取り付けられることを特徴とする排水栓装置である。
【００１７】
この排水栓装置によれば、開口部の広がりを適切に抑制することができ、作動部がアタッチメント部材から不意に外れてしまうことを、より確実に抑制することができる。
【００１８】
第６の発明は、第３の発明において、前記抜け止め部は、前記本体部の外側を囲うように取り付けられる筒状であることを特徴とする排水栓装置である。
【００１９】
この排水栓装置によれば、開口部の広がりを適切に抑制することができ、作動部がアタッチメント部材から不意に外れてしまうことを、より確実に抑制することができる。
【００２０】
第７の発明は、第１〜第６のいずれか１つの発明において、前記アタッチメント部材は、前記水槽に対して前記開口部が所定の方向を向くように前記開口部の位置を規制する規制部を、さらに有することを特徴とする排水栓装置である。
【００２１】
この排水栓装置によれば、水槽に対する開口部の位置を決めることにより、栓蓋の取り外しの際などに、作動部及び保持部に対して、作動部が保持部から水平方向に抜ける方向の力を加わり難くすることができる。例えば、排水口が水槽の所定の側壁側に設けられている場合、栓蓋を作動部から取り外す際に、その側壁側に向けて栓蓋に力が加えられる可能性は低い。すなわち、側壁が邪魔となるため、使用者は、栓蓋を引き抜く際に、側壁と反対の方向又は側壁と平行な方向に力を加える可能性の方が高い。従って、規制部によって側壁側を向くように開口部の位置を規制することにより、作動部及び保持部に対して、作動部が保持部から水平方向に抜ける方向の力を加わり難くすることができる。従って、作動部がアタッチメント部材から不意に外れてしまうことを、より確実に抑制することができる。
【００２２】
第８の発明は、第７の発明において、前記規制部は、前記保持部と一体であることを特徴とする排水栓装置である。
【００２３】
この排水栓装置によれば、水槽に対する開口部の位置をより確実に決めることができる。従って、作動部及び保持部に対して、作動部が保持部から水平方向に抜ける方向の力をより加わり難くすることができる。
【発明の効果】
【００２４】
本発明の態様によれば、栓蓋を上下動させる作動部がアタッチメント部材から不意に外れてしまうことを抑制した排水栓装置が提供される。
【図面の簡単な説明】
【００２５】
【図１】実施形態に係る排水栓装置を表す断面図である。
【図２】実施形態に係る排水栓部を拡大して表す断面図である。
【図３】実施形態に係る配管及び排水口部材を表す断面図である。
【図４】実施形態に係る配管を表す斜視断面図である。
【図５】図５（ａ）及び図５（ｂ）は、実施形態に係る作動部及びアタッチメント部材を表す斜視図及び正面図である。
【図６】実施形態に係る作動部及びアタッチメント部材を表す上面図である。
【図７】実施形態に係る排水栓装置の一部を表す上面図である。
【図８】図８（ａ）〜図８（ｄ）は、実施形態に係る排水栓装置の組み付け手順の一部を表す斜視図である。
【図９】参考の排水栓装置の一部を表す斜視図である。
【図１０】図１０（ａ）及び図１０（ｂ）は、実施形態に係るアタッチメント部材の変形例を表す斜視図である。
【図１１】図１１（ａ）及び図１１（ｂ）は、実施形態に係るアタッチメント部材の変形例を表す斜視図である。
【図１２】図１２（ａ）及び図１２（ｂ）は、実施形態に係るアタッチメント部材の変形例を表す斜視図である。
【図１３】図１３（ａ）及び図１３（ｂ）は、実施形態に係るアタッチメント部材の変形例を表す斜視図及び上面図である。
【図１４】図１４（ａ）及び図１４（ｂ）は、実施形態に係るアタッチメント部材の変形例を表す斜視図である。
【図１５】実施形態に係る排水栓装置の変形例の一部を表す上面図である。
【発明を実施するための形態】
【００２６】
以下、実施形態について図面を参照しつつ説明する。なお、各図面中、同様の構成要素には同一の符号を付して詳細な説明は適宜省略する。
【００２７】
図１は、実施形態に係る排水栓装置を表す断面図である。  
図１に表したように、排水栓装置１０は、排水栓部１２と、操作部１４と、レリースワイヤ１６と、を備える。
【００２８】
排水栓部１２は、浴槽１００（水槽）に設けられた排水口部１０２に取り付けられるとともに、排水口部１０２の下方に配置された配管２００に接続される。配管２００は、例えば、洗い場床に設けられた排水トラップなどを介して建築の排水管などに接続される。
【００２９】
排水口部１０２は、例えば、浴槽１００の底部に設けられ、浴槽１００の底部から下方に凹んだ部分である。排水口部１０２は、排水口１０２ａ（開口）を有する。排水口１０２ａは、例えば、排水口部１０２の底部に設けられる。排水口部１０２は、浴槽１００に溜められた水を排水口１０２ａを介して外部に排出可能とする。操作部１４は、浴槽１００のリム面１０４に設けられた貫通孔１０６に取り付けられる。操作部１４は、使用者の操作を受ける。レリースワイヤ１６は、操作部１４の操作にともなう操作力を排水栓部１２に伝達する。
【００３０】
排水栓部１２は、操作部１４及びレリースワイヤ１６を介して入力された操作力に応じて排水口部１０２（排水口１０２ａ）を開閉する。すなわち、排水栓部１２は、使用者による操作部１４の操作に応じて排水口部１０２を開閉する。
【００３１】
排水栓部１２で排水口部１０２を閉塞することにより、浴槽１００内に水を溜めることができる。そして、操作部１４を操作し、排水口部１０２を開放することにより、浴槽１００に溜められた水を浴槽１００の外部に排出することができる。例えば、排水口部１０２を開放することにより、浴槽１００に溜められた水が、排水口部１０２及び配管２００を介して排水管などに排出される。排水栓装置１０は、いわゆる遠隔操作式の排水栓装置である。
【００３２】
操作部１４は、筒状のケース１４ａと、ケース１４ａ内において第１位置と第２位置とに移動する可動部１４ｂと、可動部１４ｂを第１位置又は第２位置に保持するラッチ機構１４ｃと、を有する。第１位置は、例えば、図１に表した位置である。第２位置は、例えば、第１位置よりもケース１４ａ内に押し込められた位置である。
【００３３】
ラッチ機構１４ｃは、可動部１４ｂを第１位置に保持した状態において、使用者の押圧操作により、可動部１４ｂが第１位置から第２位置に移動した際に、可動部１４ｂを第２位置に保持する。そして、ラッチ機構１４ｃは、可動部１４ｂを第２位置に保持した状態において、可動部１４ｂが再び押圧操作された際に、第２位置における可動部１４ｂの保持を解除し、可動部１４ｂを第２位置から第１位置に復帰させ、可動部１４ｂを再び第１位置に保持する。排水栓部１２は、可動部１４ｂが第１位置にある時に、排水口部１０２を閉塞し、可動部１４ｂが第２位置にある時に、排水口部１０２を開放する。
【００３４】
この例において、操作部１４は、使用者の押圧操作を受ける押しボタン方式の操作部である。操作部１４は、これに限ることなく、例えば、回転操作を受ける回転ハンドル方式の操作部やスライド操作を受けるスライドレバー方式の操作部などでもよい。操作部１４は、使用者の任意の操作を受けることができる任意の構成でよい。
【００３５】
レリースワイヤ１６は、排水栓部１２と操作部１４とを接続するホース１８内に挿通されている。レリースワイヤ１６は、例えば、アウターチューブと、アウターチューブに挿通されたインナーワイヤと、を有する（図示は省略）。インナーワイヤの一端は、操作部１４の可動部１４ｂに接続されている。インナーワイヤの他端は、排水栓部１２に接続されている。レリースワイヤ１６は、操作部１４の操作に応じてインナーワイヤを進退させることにより、操作力を排水栓部１２に伝達する。操作部１４から排水栓部１２に操作力を伝達する伝達機構は、レリースワイヤ１６に限ることなく、操作力を伝達可能な任意の機構でよい。
【００３６】
図２は、実施形態に係る排水栓部を拡大して表す断面図である。  
図２に表したように、排水栓部１２は、栓蓋２０と、排水口部材２２と、作動部２４と、アタッチメント部材２６と、を有する。栓蓋２０は、浴槽１００の排水口部１０２に上方（浴槽内側）から取り付けられ、上方から排水口部１０２を塞ぐ。栓蓋２０は、例えば、排水口部１０２の周縁部１０２ｂに接することで、排水口部１０２を塞ぐ。
【００３７】
栓蓋２０は、例えば、パッキン２１を有する。パッキン２１は、栓蓋２０の外縁に環状に設けられる。パッキン２１には、例えば、ゴムなどの弾性材料が用いられる。栓蓋２０は、パッキン２１を排水口部１０２の周縁部１０２ｂに接触させることにより、排水口部１０２を塞ぐ。これにより、排水口部１０２をより確実に塞ぐことができる。栓蓋２０は、排水口部１０２の周縁部１０２ｂに直接的に接してもよいし、パッキン２１などを介して間接的に接してもよい。また、排水口部１０２を塞ぐ位置（接する位置）は、周縁部１０２ｂに限ることなく、例えば、排水口１０２ａの内縁部や排水口部材２２の上端部などでもよい。
【００３８】
排水口部１０２を上方から見た形状は、略円形である。排水口１０２ａは、例えば、略円形の貫通孔状である。栓蓋２０は、排水口部１０２及び排水口１０２ａの形状に対応した断面略円形の栓である。排水口部１０２の断面形状は、円形に限ることなく、例えば楕円形や多角形などの任意の形状でよい。栓蓋２０の形状は、上方から排水口部１０２を閉塞可能な任意の形状でよい。
【００３９】
排水口部材２２は、排水口部１０２の排水口１０２ａ及び配管２００に挿通され、浴槽１００に配管２００を接続する。作動部２４は、栓蓋２０を上下動可能に支持する。アタッチメント部材２６は、作動部２４を排水口１０２ａに設置する。アタッチメント部材２６は、例えば、配管２００内に取り付けられ、作動部２４を保持する。作動部２４は、アタッチメント部材２６を介して排水口１０２ａに取り付けられ、栓蓋２０を上下動させることにより、排水口１０２ａを開閉する。アタッチメント部材２６は、例えば、排水口部１０２に取り付けてもよい。
【００４０】
作動部２４は、ケース２４ａと、支持軸２４ｂと、を有する。ケース２４ａは、筒状である。ケース２４ａは、軸を上下方向に向けた状態で排水口１０２ａ（配管２００）に取り付けられる。支持軸２４ｂは、ケース２４ａ内に挿通され、ケース２４ａの軸方向に沿って移動可能にケース２４ａに保持される。支持軸２４ｂは、ケース２４ａが排水口１０２ａに取り付けられた状態において、上下方向に移動する。
【００４１】
支持軸２４ｂの上端は、ケース２４ａの上端よりも上方に突出する。栓蓋２０は、支持軸２４ｂの上端に取り付けられる。作動部２４は、支持軸２４ｂの上端において栓蓋２０を支持する。このように、支持軸２４ｂは、上端に栓蓋２０が取り付けられ、浴槽１００に対して上下動可能に設けられる。
【００４２】
一方、支持軸２４ｂの下端側は、ケース２４ａ内においてレリースワイヤ１６に接続される。配管２００は、貫通孔２０２を有する。貫通孔２０２は、配管２００において排水栓部１２よりも下方に設けられる。レリースワイヤ１６は、貫通孔２０２を介して配管２００内に挿通され、作動部２４と接続される。また、貫通孔２０２は、例えば、ホース１８などによって塞がれる。これにより、貫通孔２０２からの水漏れが抑制される。
【００４３】
操作部１４の可動部１４ｂが第１位置にある場合、支持軸２４ｂは、図２に表したように、栓蓋２０が排水口部１０２を塞いだ位置に保持される。操作部１４の可動部１４ｂが第１位置から第２位置に移動すると、レリースワイヤ１６のインナーワイヤが、可動部１４ｂの移動量に応じて排水栓部１２側に送り込まれる。従って、可動部１４ｂが第２位置に移動すると、作動部２４の支持軸２４ｂが、図２に表した状態よりもケース２４ａから突出する。これにより、操作部１４の可動部１４ｂが第２位置にある場合には、栓蓋２０が、支持軸２４ｂの移動にともなって上方に移動し、排水口部１０２を開放させる。
【００４４】
このように、作動部２４は、操作部１４の操作に応じて支持軸２４ｂを移動させることにより、栓蓋２０が排水口部１０２を塞ぐ下降状態（図２に表した状態）と、栓蓋２０が排水口部１０２から上方に離間して排水口部１０２を開放する上昇状態と、に支持軸２４ｂを切り替える。換言すれば、操作部１４は、下降状態と上昇状態とに支持軸２４ｂを切り替える。
【００４５】
図３は、実施形態に係る配管及び排水口部材を表す断面図である。  
図４は、実施形態に係る配管を表す斜視断面図である。  
図３及び図４に表したように、配管２００は、浴槽１００と接続された状態において、排水口部１０２から下方に向かって延びる第１管部２１１と、第１管部２１１と直交する方向に延びる第２管部２１２と、を有する。すなわち、この例において、配管２００は、略Ｌ字状に屈曲した管である。配管２００は、Ｌ字状に限ることなく、少なくとも排水口部１０２から下方に向かって延びる部分を有する任意の形状でよい。
【００４６】
第１管部２１１の開口端２１１ａの形状は、排水口１０２ａの形状と実質的に同じである。第１管部２１１及び第２管部２１２は、例えば、断面略円形の管である。第１管部２１１の内周面には、雌ねじ部２１４が設けられている。雌ねじ部２１４は、開口端２１１ａに隣接して設けられる。第１管部２１１において、雌ねじ部２１４の設けられた部分の内周面の断面形状は、略円形である。配管２００の雌ねじ部２１４以外の部分の内周面の断面形状は、必ずしも円形でなくてもよい。配管２００の雌ねじ部２１４以外の部分の内周面の断面形状は、例えば、楕円形状や多角形状などでもよい。
【００４７】
第１管部２１１は、載置部２２０と、第１収納空間２２１と、第２収納空間２２２と、を有する。載置部２２０は、配管２００内に設けられ、配管２００の内方に突出する。載置部２２０には、アタッチメント部材２６の一部が載置される。アタッチメント部材２６は、載置部２２０の上に載置されることにより、配管２００内に取り付けられる。換言すれば、載置部２２０は、配管２００内におけるアタッチメント部材２６の下方への移動を規制する。アタッチメント部材２６は、載置部２２０に直接的に接して載置されてもよいし、他の部材などを介して間接的に接して載置されてもよい。
【００４８】
この例において、載置部２２０は、第１管部２１１の開口端２１１ａよりも内径を小さくした部分である。載置部２２０は、配管２００内において段差状に形成されている。この例において、載置部２２０は、配管２００の内周に沿う環状の面（載置面）である。載置部２２０の形状は、上記に限ることなく、例えば、突起状に形成してもよい。例えば、複数の突起状の載置部を配管２００の軸周りに所定の間隔で設けてもよい。載置部２２０の形状は、アタッチメント部材２６の一部を載置可能な任意の形状でよい。
【００４９】
第１収納空間２２１は、載置部２２０の上方に配置される。第１収納空間２２１は、載置部２２０に隣接する。第１収納空間２２１は、アタッチメント部材２６の一部を収納する。第２収納空間２２２は、第１収納空間２２１の上方に配置される。第２収納空間２２２は、排水口部材２２を収納する。第２収納空間２２２は、第１収納空間２２１に隣接するとともに、第１管部２１１の開口端２１１ａに隣接する。雌ねじ部２１４は、第２収納空間２２２を形成する配管２００の内周面に設けられる。
【００５０】
排水口部材２２は、略円筒状の筒部２２ａと、筒部２２ａの上端に設けられたフランジ部２２ｂと、を有する。フランジ部２２ｂは、筒部２２ａの上端から外方に向かって延びる。筒部２２ａの外径は、排水口１０２ａの開口径及び第１管部２１１の内径と実質的に同じである。一方、フランジ部２２ｂの外径は、排水口１０２ａの開口径及び第１管部２１１の内径よりも大きい。
【００５１】
また、筒部２２ａの外周面には、雄ねじ部２２ｃが設けられている。雄ねじ部２２ｃは、配管２００の雌ねじ部２１４に対応して形成され、雌ねじ部２１４に螺合する（噛み合う）。これにより、排水口部材２２の筒部２２ａが、配管２００の第２収納空間２２２に収納される。
【００５２】
排水口部材２２は、筒部２２ａを上方から排水口１０２ａ及び配管２００に挿通し、配管２００の雌ねじ部２１４に雄ねじ部２２ｃを螺合させ、フランジ部２２ｂと配管２００との間で浴槽１００を挟み込む（図２参照）。これにより、排水口部材２２は、浴槽１００に配管２００を接続する。排水口部材２２は、例えば、締付フランジと呼ばれる場合もある。
【００５３】
図５（ａ）及び図５（ｂ）は、実施形態に係る作動部及びアタッチメント部材を表す斜視図及び正面図である。  
図６は、実施形態に係る作動部及びアタッチメント部材を表す上面図である。  
図５（ａ）、図５（ｂ）、及び図６に表したように、アタッチメント部材２６は、保持部４０と、連結部４２と、台座部４４と、を有する。
【００５４】
保持部４０は、筒状であり、内部の空間に作動部２４を収容することにより、作動部２４を保持する。この例において、保持部４０は、作動部２４を直接的に保持している。保持部４０は、例えば、他の部材などを介して間接的に作動部２４を保持してもよい。
【００５５】
連結部４２は、保持部４０から外方に向かって延びる。連結部４２は、例えば、保持部４０の外側面から外側に向かって放射状に延びる。連結部４２は、保持部４０と一体である。アタッチメント部材２６は、例えば、複数の連結部４２を有する。この例において、アタッチメント部材２６は、連結部４２ａ〜４２ｃの３つの連結部４２を有する。連結部４２の数は、３つに限ることなく、１つ又は２つでもよいし、４つ以上でもよい。
【００５６】
台座部４４は、連結部４２と一体である。台座部４４は、例えば、複数の連結部４２のそれぞれと一体である。台座部４４は、保持部４０を囲うように設けられる筒状である。台座部４４は、配管２００に取り付けられる。これにより、台座部４４は、保持部４０及び保持部４０に保持された作動部２４を、排水口１０２ａに取り付ける。台座部４４は、排水口１０２ａ（排水口部１０２）に取り付けてもよい。すなわち、台座部４４は、排水口１０２ａ又は配管２００に取り付けられる。
【００５７】
台座部４４は、上方から見た状態（上面視）において、保持部４０の一部を囲う。台座部４４は、保持部４０よりも幅（径）の大きい筒状である。台座部４４は、例えば、筒状の保持部４０と略同軸に配置される。これにより、上方から見た状態において、保持部４０の一部を台座部４４で囲うことができる。
【００５８】
この例では、側方から見た状態（側面視）においても、台座部４４が、保持部４０の一部を囲っている。例えば、連結部４２の上下方向の長さを長くすることにより、側方から見た状態において、保持部４０を台座部４４よりも上方に配置してもよい。側方から見た状態においては、台座部４４は、必ずしも保持部４０の一部を囲わなくてもよい。すなわち、台座部４４は、少なくとも上方から見た状態において、保持部４０を囲うように設けられる。
【００５９】
台座部４４は、配管２００内において排水口部材２２よりも下方に取り付けられる（図２参照）。台座部４４は、載置部２２０に載置されることにより、配管２００内に取り付けられる。台座部４４は、載置部２２０の上に載置されることにより、配管２００内におけるアタッチメント部材２６の下方への移動を規制する。また、台座部４４は、排水口部材２２により下方に押付けられることにより、上方への移動を規制する。換言すれば、台座部４４は、配管２００内において載置部２２０と排水口部材２２との間に挟み込まれる。
【００６０】
台座部４４は、規制部４５を有する。規制部４５は、台座部４４及び連結部４２を介して保持部４０と一体である。台座部４４は、規制部４５を配管２００の第２管部２１２の内面に側方から当接させることにより、配管２００内におけるアタッチメント部材２６の水平方向における回転を規制する（図２参照）。規制部４５は、浴槽１００に対して第１開口部５１ａが所定の方向を向くように第１開口部５１ａの位置を規制する。
【００６１】
このように、アタッチメント部材２６は、台座部４４において載置部２２０の上に載置される。配管２００の第１収納空間２２１は、アタッチメント部材２６の台座部４４を収納する。アタッチメント部材２６は、台座部４４を介して配管２００内に取り付けられることにより、作動部２４及び保持部４０を配管２００内の所定の位置に配置する。
【００６２】
保持部４０は、第１本体部５１（本体部）と、第１開口部５１ａ（開口部）と、抜け止め部６０と、を有する。第１本体部５１は、筒状である。第１開口部５１ａは、第１本体部５１の側方に設けられ、作動部２４を側方から第１本体部５１内に水平方向に挿入可能とする。第１本体部５１の内径は、作動部２４の外径と実質的に同じか、僅かに小さい程度に設定される。これにより、第１本体部５１内に挿入された作動部２４は、第１本体部５１内に嵌合する。保持部４０は、例えば、作動部２４と第１本体部５１との嵌合により、作動部２４を保持する。抜け止め部６０は、第１本体部５１内に挿入された作動部２４の上部が第１本体部５１から水平方向に抜け出ることを抑制する。
【００６３】
第１開口部５１ａは、第１本体部５１の下端から上端まで連続し、第１領域Ｒ１と、第２領域Ｒ２と、を有する。第２領域Ｒ２は、第１領域Ｒ１の上に位置する。
【００６４】
抜け止め部６０は、第１本体部５１に設けられる。抜け止め部６０は、例えば、第１本体部５１と一体に成形され、第１本体部５１と一体に設けられる。抜け止め部６０は、第１本体部５１と別体に形成し、接着や係合などで第１本体部５１に取り付けてもよい。
【００６５】
抜け止め部６０は、第２領域Ｒ２において第１領域Ｒ１よりも第１開口部５１ａ側に突出し、第２領域Ｒ２の横幅ＷＡ２を第１領域Ｒ１の横幅ＷＡ１よりも狭くする。これにより、抜け止め部６０は、第１本体部５１内に挿入された作動部２４の上部が第１本体部５１から抜け出ることを抑制する。
【００６６】
この例では、第１開口部５１ａの第２領域Ｒ２の両側に抜け止め部６０が設けられている。保持部４０は、一対の抜け止め部６０を有している。これに限ることなく、抜け止め部６０は、第１開口部５１ａの第２領域Ｒ２の片側のみに設けてもよい。
【００６７】
抜け止め部６０の下端６０ａは、下方に向かうほど第１開口部５１ａの横幅が広くなるように傾斜している。抜け止め部６０の下端６０ａは、例えば、第２領域Ｒ２の最小の横幅ＷＡ２から第１領域Ｒ１の横幅ＷＡ１に向かって、第１開口部５１ａの横幅が連続的に広くなるように傾斜する。
【００６８】
台座部４４は、第２本体部５２と、第２開口部５２ａと、を有する。第２本体部５２は、筒状である。第２開口部５２ａは、第２本体部５２の側方に設けられ、作動部２４を側方から第２本体部５２内に水平方向に挿入可能とする。
【００６９】
第２開口部５２ａの少なくとも一部は、水平方向において第１開口部５１ａの少なくとも一部と同じ方向を向いている。この例では、第１開口部５１ａの全体が、第２開口部５２ａの一部と同じ方向を向いている。側方から見た状態において、第１開口部５１ａの全体が、第２開口部５２ａを介して露呈される。第２開口部５２ａの最小横幅Ｗ２（開口幅）は、第１開口部５１ａの最小横幅Ｗ１よりも大きく、第２本体部５２は、水平方向において、第１開口部５１ａと重ならない。これにより、第１本体部５１に対して作動部２４を挿抜する際に、第２本体部５２が邪魔になることを抑制することができる。第１本体部５１に対して作動部２４を挿抜し易くすることができる。例えば、第２本体部５２の一部は、作動部２４の挿抜を大きく妨げない範囲で、水平方向において第１開口部５１ａの一部と重なってもよい。第１開口部５１ａは、第２開口部５２ａと異なる方向を向く部分を有してもよい。
【００７０】
第２開口部５２ａの最小横幅Ｗ２は、作動部２４の最大横幅Ｗｓよりも大きい。一方、第１開口部５１ａの最小横幅Ｗ１は、作動部２４の最大横幅Ｗｓよりも小さい。アタッチメント部材２６には、例えば、ポリプロピレンなどの樹脂材料が用いられる。アタッチメント部材２６は、弾性を有する。これにより、保持部４０では、第１開口部５１ａを広げるように一時的に第１本体部５１を変形させることができる。
【００７１】
第１本体部５１の下端には、開口部５１ａを挟んで対向するように配置された一対のリブ５１ｒが設けられている。各リブ５１ｒは、第１本体部５１の内方に向かって突出する。作動部２４のケース２４ａには、溝２４ｃが設けられている。溝２４ｃは、ケース２４ａの下端付近に設けられ、ケース２４ａの側面から内方に向かって凹んだ凹形状に形成されている。溝２４ｃの形状は、各リブ５１ｒの形状に対応している。
【００７２】
作動部２４を保持部４０に保持させる場合には、作動部２４を第２開口部５２ａに側方から挿入した後、第１開口部５１ａに押し当て、第１本体部５１を弾性変形させることにより、第１開口部５１ａを押し広げる。そして、広がった第１開口部５１ａから第１本体部５１内に作動部２４を側方から挿入する。この際、各リブ５１ｒを溝２４ｃに嵌め込む。これにより、作動部２４が第１本体部５１内に挿入されるとともに、各リブ５１ｒと溝２４ｃとの係合により、作動部２４の上下動が規制される。換言すれば、各リブ５１ｒと溝２４ｃとの係合により、第１本体部５１の軸方向の両端からの作動部２４の抜けが抑制される。これにより、作動部２４が、保持部４０に保持される。
【００７３】
複数の連結部４２の１つである連結部４２ａは、第１本体部５１の一方の側端部５１ｂから台座部４４に向かって延びる。複数の連結部４２の別の１つである連結部４２ｂは、第１本体部５１の他方の側端部５１ｃから台座部４４に向かって延びる。
【００７４】
また、連結部４２ａは、第２本体部５２の一方の側端部５２ｂに向かって延びる。連結部４２ｂは、第２本体部５２の他方の側端部５２ｃに向かって延びる。すなわち、連結部４２ａは、第１本体部５１の側端部５１ｂから第２本体部５２の側端部５２ｂに向かって延びる。連結部４２ｂは、第１本体部５１の側端部５１ｃから第２本体部５２の側端部５２ｃに向かって延びる。
【００７５】
第２本体部５２の一方の側端部５２ｂは、連結部４２ａから第２開口部５２ａ側に突出している。一方、第２本体部５２の他方の側端部５２ｃは、連結部４２ｂの側面と略面一である。換言すれば、側端部５２ｃは、連結部４２ｂよりも第２開口部５２ａ側に突出しない。
【００７６】
上記とは反対に、側端部５２ｂを連結部４２ａの側面と略面一とし、側端部５２ｃを連結部４２ｂから第２開口部５２ａ側に突出させてもよい。あるいは、側端部５２ｂ、５２ｃの双方を連結部４２から第２開口部５２ａ側に突出させてもよい。すなわち、側端部５２ｂ及び側端部５２ｃの少なくとも一方は、連結部４２から第２開口部５２ａ側に突出してもよい。
【００７７】
側端部５２ｂ、５２ｃの突出量は、例えば、１０ｍｍ以下である。連結部４２ａが側端部５２ｂに向かって延びている状態とは、例えば、側端部５２ｂと連結部４２ａとの間の距離が、１０ｍｍ以下の状態である。連結部４２ｂが側端部５２ｃに向かって延びている状態とは、例えば、側端部５２ｃと連結部４２ｂとの間の距離が、１０ｍｍ以下の状態である。
【００７８】
また、連結部４２ｃは、第１本体部５１の第１開口部５１ａと反対側の側方から、第１開口部５１ａと反対側に向かって台座部４４に延びる。
【００７９】
台座部４４は、スリット部５４を、さらに有する。スリット部５４は、周方向において第２本体部５２を分割する。台座部４４は、例えば、複数のスリット部５４を有する。この例において、台座部４４は、スリット部５４ａ、５４ｂの２つのスリット部５４を有する。第２開口部５２ａは、複数の連結部４２ａ、４２ｂの間に設けられる。スリット部５４ａは、第２開口部５２ａとは別の複数の連結部４２ａ、４２ｃの間に設けられる。同様に、スリット部５４ｂは、第２開口部５２ａとは別の複数の連結部４２ｂ、４２ｃの間に設けられる。
【００８０】
このように、この例では、２つのスリット部５４ａ、５４ｂにより、台座部４４を周方向において３つの部分に分割する。スリット部５４の数は、２つに限ることなく、１つでもよい。例えば、連結部４２の数が、４つ以上である場合には、３つ以上のスリット部５４を設けてもよい。スリット部５４は、隣り合う２つの連結部４２の間に１つ設けられる。また、前述のように、第２開口部５２ａは、２つの連結部４２の間に設けられる。従って、連結部４２の数をＭ個とする時、スリット部５４の最大数は、Ｍ−１個である。なお、スリット部５４は、必要に応じて設けられ、省略可能である。
【００８１】
図７は、実施形態に係る排水栓装置の一部を表す上面図である。  
図７では、排水口部１０２に取り付けられた排水栓部１２において、栓蓋２０を取り外した状態を表している。  
図７に表したように、排水口部１０２は、浴槽１００の洗い場側の側壁１１０に寄せて設けられる。配管２００の第２管部２１２は、洗い場側に向かって延びる。
【００８２】
規制部４５は、配管２００の第１管部２１１と第２管部２１２との屈曲部に当接することにより、図７に表したように、浴槽１００に対して第１開口部５１ａが側壁１１０側を向くように第１開口部５１ａの位置を規制する。
【００８３】
側壁１１０側を向く状態とは、例えば、第１開口部５１ａの向く方向が、側壁１１０と交差する状態である。換言すれば、上面視において、第１本体部５１の中心と第１開口部５１ａの中央とを結ぶ線分の延長線ＥＬが、側壁１１０と交差する状態である。
【００８４】
図８（ａ）〜図８（ｄ）は、実施形態に係る排水栓装置の組み付け手順の一部を表す斜視図である。  
排水栓装置１０の排水栓部１２を浴槽１００及び配管２００に取り付ける際には、まず、配管２００を浴室内の所定の位置に設置する。作動部２４は、予めレリースワイヤ１６の一端に接続しておく。そして、作動部２４及びレリースワイヤ１６の一端を、貫通孔２０２を介して配管２００内に挿通する。作動部２４を挿通した後、支持軸２４ｂを開口端２１１ａから露出させる。
【００８５】
作動部２４を配管２００よりも上方に出した後、図８（ａ）〜図８（ｄ）に表したように、第２開口部５２ａから第２本体部５２内に作動部２４を側方から挿入し、第１開口部５１ａから第１本体部５１内に作動部２４を側方から挿入することにより、作動部２４をアタッチメント部材２６の保持部４０に保持させる。
【００８６】
作動部２４の挿入においては、まず図８（ａ）及び図８（ｂ）に表したように、作動部２４に対してアタッチメント部材２６を傾け、第１開口部５１ａの第１領域Ｒ１の部分に作動部２４の上端を側方から水平方向に挿し込む。
【００８７】
この後、図８（ｃ）に表したように、抜け止め部６０の下端６０ａの傾斜に沿って第１開口部５１ａを押し広げながら、作動部２４の上端を第１開口部５１ａの第２領域Ｒ２の部分に挿し込む。
【００８８】
そして、図８（ｄ）に表したように、アタッチメント部材２６の傾きを戻しながら第１本体部５１内に作動部２４を側方から挿入し、各リブ５１ｒを溝２４ｃに嵌め込む。これにより、作動部２４がアタッチメント部材２６の保持部４０に保持される。
【００８９】
作動部２４をアタッチメント部材２６に取り付けた後、アタッチメント部材２６の台座部４４を配管２００内に挿通する。台座部４４は、載置部２２０に載置されるまで、配管２００内に挿通する。換言すれば、台座部４４は、載置部２２０に当接するまで、配管２００内に挿通する。そして、規制部４５を配管２００の第２管部２１２内に挿し込むことにより、台座部４４を配管２００内に設置する。これにより、作動部２４が、配管２００内に設置される。
【００９０】
作動部２４を配管２００に設置した後、開口端２１１ａと排水口部１０２との位置を合わせて、配管２００の上に浴槽１００を設置する。この場合、作動部２４は、排水口１０２ａを介して上方に露出された状態となる。
【００９１】
浴槽１００を設置した後、排水口部材２２を上方から排水口１０２ａ及び配管２００に挿通する。そして、配管２００の雌ねじ部２１４に排水口部材２２の雄ねじ部２２ｃを螺合させ、フランジ部２２ｂと配管２００との間で浴槽１００を挟み込むことにより、排水口部材２２を介して浴槽１００と配管２００とを接続する。また、台座部４４を排水口部材２２と載置部２２０とで挟み込むことにより、台座部４４が上方向へ移動しないようにする。
【００９２】
この後、作動部２４の支持軸２４ｂの上端に、栓蓋２０を取り付ける。以上により、排水栓装置１０の排水栓部１２の取り付けが完了する。なお、操作部１４は、排水栓部１２の取り付けの前に、予め浴槽１００のリム面１０４に取り付けておいてもよいし、排水栓部１２の取り付けを行った後に、浴槽１００のリム面１０４に取り付けてもよい。
【００９３】
図９は、抜け止め部を有しないアタッチメント部材を備えた参考の排水栓装置の一部を表す斜視図である。  
例えば、排水口１０２ａや排水栓装置の清掃などのために、排水栓装置を浴槽１００に取り付けた後、栓蓋２０を取り外す場合がある。栓蓋２０は、排水口１０２ａから上昇させた状態で上方に引っ張り、作動部２４から引き抜くことで取り外される。この際、取り外しの操作に不慣れな使用者などにおいては、栓蓋２０に対して水平方向にも力を加えてしまう場合がある。
【００９４】
このように、栓蓋２０の取り外しの際に、水平方向に力を加えてしまうと、栓蓋２０に接続されている作動部２４にも水平方向に力が加わることとなるため、場合によっては、作動部２４がアタッチメント部材２６ｘの保持部４０ｘから抜ける方向に力が加わり、図９に表したように、作動部２４の上部が保持部４０ｘから抜けてしまう可能性がある。排水栓装置を浴槽１００などに取り付けた後の状態では、作動部２４を再び保持部４０ｘ内に挿入する操作が難しく、使用者などに余計な手間をかけさせてしまう。また、例えば、作動部２４の上部が保持部４０ｘから抜けた状態で無理に栓蓋２０を取り付けると、所望の位置に栓蓋２０を配置できなくなり、栓蓋２０と排水口１０２ａとの水密性が低下してしまう可能性が生じる。
【００９５】
これに対して、本実施形態に係る排水栓装置１０によれば、例えば、排水栓装置１０を浴槽１００に取り付けた後、栓蓋２０を取り外す場合に、作動部２４がアタッチメント部材２６の保持部４０から水平方向に抜ける方向に力が加わったとしても、第１本体部５１内に挿入された作動部２４の上部が第１本体部５１から水平方向に抜け出ることを抜け止め部６０が抑制する。従って、作動部２４がアタッチメント部材２６から不意に外れてしまうことを抑制することができる。例えば、作動部２４を再び第１本体部５１内に挿入する手間が生じることを抑制し、排水栓装置１０の使い勝手を向上させることができる。
【００９６】
また、排水栓装置１０では、第１開口部５１ａが、第１本体部５１の下端から上端まで連続し、第１領域Ｒ１と、第１領域Ｒ１の上に位置する第２領域Ｒ２と、を有し、抜け止め部６０は、第１本体部５１に設けられ、第２領域Ｒ２において第１開口部５１ａ側に突出し、第２領域Ｒ２の横幅ＷＡ２を第１領域Ｒ１の横幅ＷＡ１よりも狭くする。これにより、排水栓装置１０では、第１開口部５１ａの第１領域Ｒ１において作動部２４の側方からの挿入し易さを確保することができる。また、第１本体部５１内に挿入された作動部２４に対して、第１本体部５１から水平方向に抜ける方向に力が加わり、第１開口部５１ａの横幅が広がったとしても、第１開口部５１ａの第２領域Ｒ２の横幅ＷＡ２が、作動部２４の横幅よりも広くなることを抜け止め部６０によって抑制することができる。従って、作動部２４がアタッチメント部材２６の保持部４０から水平方向に抜ける方向に力が加わったとしても、作動部２４がアタッチメント部材２６から不意に外れてしまうことを抑制することができる。
【００９７】
また、排水栓装置１０では、抜け止め部６０の下端６０ａが、下方に向かうほど第１開口部５１ａの横幅が広くなるように傾斜している。これにより、第１開口部５１ａを押し広げながら作動部２４を第１本体部５１内に側方から挿入する際に、抜け止め部６０の下端６０ａの傾斜に沿って第１開口部５１ａを徐々に押し広げることができ、排水栓装置１０の組み付け作業をより容易にすることができる。
【００９８】
また、排水栓装置１０では、アタッチメント部材２６が、浴槽１００に対して第１開口部５１ａが所定の方向を向くように第１開口部５１ａの位置を規制する規制部４５を有する。これにより、浴槽１００に対する第１開口部５１ａの位置を決めることで、栓蓋２０の取り外しの際などに、作動部２４及び保持部４０に対して、作動部２４が保持部４０から水平方向に抜ける方向の力を加わり難くすることができる。例えば、排水口１０２ａが浴槽１００の側壁１１０側に設けられている場合、栓蓋２０を作動部２４から取り外す際に、その側壁１１０側に向けて栓蓋２０に力が加えられる可能性は低い。すなわち、側壁１１０が邪魔となるため、使用者は、栓蓋２０を引き抜く際に、側壁１１０と反対の方向又は側壁１１０と平行な方向に力を加える可能性の方が高い。従って、規制部４５によって側壁１１０側を向くように第１開口部５１ａの位置を規制することにより、作動部２４及び保持部４０に対して、作動部２４が保持部４０から水平方向に抜ける方向の力を加わり難くすることができる。従って、作動部２４がアタッチメント部材２６から不意に外れてしまうことを、より確実に抑制することができる。
【００９９】
また、排水栓装置１０では、規制部４５が、保持部４０と一体である。これにより、浴槽１００に対する第１開口部５１ａの位置をより確実に決めることができる。従って、作動部２４及び保持部４０に対して、作動部２４が保持部４０から水平方向に抜ける方向の力をより加わり難くすることができる。
【０１００】
また、排水栓装置１０では、アタッチメント部材２６の保持部４０と連結部４２と台座部４４とが、それぞれ一体であるため、保持部４０と台座部４４とを別体に構成する場合などと比べて、構成を簡単にすることができる。これにより、組み付け作業を簡単にすることができるとともに、部品点数を削減し、製造コストを抑えることができる。また、第２開口部５２ａの少なくとも一部が、水平方向において第１開口部５１ａの少なくとも一部と同じ方向を向いているため、台座部４４及び保持部４０に対して作動部２４を側方の一方向から水平方向に挿入することができる。これにより、保持部４０と連結部４２と台座部４４とを一体にした場合でも、作動部２４を保持部４０に容易に取り付けることができる。従って、簡単な構成で、簡単に組み付け作業を行うことができる排水栓装置１０を提供することができる。
【０１０１】
また、排水栓装置１０では、第２開口部５２ａの最小横幅Ｗ２が、作動部２４の最大横幅Ｗｓよりも大きい。これにより、作動部２４を台座部４４に側方から挿入する際に、台座部４４を押し広げたりする必要がなく、組み付け作業をより簡単にすることができる。
【０１０２】
また、排水栓装置１０では、連結部４２ａが、第１本体部５１の一方の側端部５１ｂから台座部４４に向かって延び、連結部４２ｂが、第１本体部５１の他方の側端部５１ｃから台座部４４に向かって延びる。これにより、作動部２４を第２開口部５２ａに挿入した後、第１開口部５１ａに側方から挿入する際に、作動部２４を２つの連結部４２ａ、４２ｂによって第１開口部５１ａにガイドすることができる。これにより、作動部２４の第１開口部５１ａに対する位置調整をし易くし、作動部２４を第１開口部５１ａに挿入し易くすることができる。従って、組み付け作業をより簡単にすることができる。
【０１０３】
また、排水栓装置１０では、連結部４２ａが、第２本体部５２の一方の側端部５２ｂに向かって延び、連結部４２ｂが、第２本体部５２の他方の側端部５２ｃに向かって延びる。これにより、作動部２４を保持部４０から取り外す際に、２つの連結部４２ａ、４２ｂの側面を外方に押し広げることで、第１開口部５１ａ及び第２開口部５２ａの幅を広げることができる。これにより、作動部２４を保持部４０から取り外し易くすることができ、取り外しの作業も簡単にすることができる。
【０１０４】
また、排水栓装置１０では、第２本体部５２の一方の側端部５２ｂが、連結部４２ａから第２開口部５２ａ側に突出している。これにより、側端部５２ｂの突出した部分に指をかけることにより、第１開口部５１ａ及び第２開口部５２ａの幅を、より広げ易くすることができる。従って、作動部２４の取り外しの作業を、より簡単にすることができる。
【０１０５】
また、排水栓装置１０では、連結部４２ｃが、第１本体部５１の第１開口部５１ａと反対側の側方から、第１開口部５１ａと反対側に向かって台座部４４に延びる。これにより、作動部２４を保持部４０に側方から挿入する際などに、保持部４０を第１開口部５１ａの反対側に位置する台座部４４へと近づけるように保持部４０に力が加えられたとしても、台座部４４が変形してしまうことを抑制することができる。台座部４４が変形すると、保持部４０と台座部４４との相対的な位置がずれ、所望の位置に栓蓋２０を配置できなくなり、栓蓋２０と排水口１０２ａとの水密性が低下してしまう可能性が生じる。この排水栓装置１０では、連結部４２ｃが、第１開口部５１ａと反対側に向かって台座部４４に延びるため、上記のような力が保持部４０及び台座部４４に作用したとしても、連結部４２ｃにより、保持部４０と台座部４４との相対的な位置関係を維持することができる。従って、栓蓋２０と排水口１０２ａとの間の水密性の低下を抑制することができる。
【０１０６】
また、排水栓装置１０では、スリット部５４によって第２本体部５２を周方向に分割することにより、第１開口部５１ａ及び第２開口部５２ａをより押し広げ易くすることができる。従って、作動部２４の組み付けや取り外しの作業を、より簡単にすることができる。
【０１０７】
図１０（ａ）及び図１０（ｂ）は、実施形態に係るアタッチメント部材の変形例を表す斜視図である。  
なお、変形例の説明において、上記実施形態の排水栓装置１０と機能・構成上実質的に同じものについては、同符号を付し、詳細な説明は省略する。  
図１０（ａ）及び図１０（ｂ）に表したように、アタッチメント部材２６ａでは、第１開口部５１ａの上端が、第１本体部５１の上端よりも下方に位置する。すなわち、アタッチメント部材２６ａでは、第１開口部５１ａが、第１本体部５１の上端まで延びていない。
【０１０８】
抜け止め部６１は、第１本体部５１に設けられる。抜け止め部６１は、例えば、第１本体部５１と一体に成形され、第１本体部５１と一体に設けられる。抜け止め部６１は、第１本体部５１と別体に形成し、接着や係合などで第１本体部５１に取り付けてもよい。
【０１０９】
抜け止め部６１は、第１開口部５１ａの上方において第１本体部５１の第１開口部５１ａの両側の部分と連続する。これにより、抜け止め部６１は、第１本体部５１内に挿入された作動部２４の上部が第１本体部５１から水平方向に抜け出ることを抑制する。
【０１１０】
これにより、アタッチメント部材２６ａにおいても、上記のアタッチメント部材２６と同様に、排水栓装置１０を浴槽１００及び配管２００に取り付けた後に、作動部２４が第１本体部５１から水平方向に抜ける方向に力が加わったとしても、作動部２４の上部が第１本体部５１から水平方向に抜けてしまうことを抑制することができる。排水栓装置１０の使い勝手を向上させることができる。抜け止め部６１の下方の第１開口部５１ａにおいて作動部２４の側方からの挿入し易さを確保することができる。また、第１本体部５１内に挿入された作動部２４に対して、第１本体部５１から水平方向に抜ける方向に力が加わった場合に、抜け止め部６１が、第１開口部５１ａの横幅の広がりを抑制するとともに、抜け止め部６１が、作動部２４の上部と当接し、作動部２４が第１本体部５１から水平方向に抜けることを抑制する。従って、作動部２４がアタッチメント部材２６ａの保持部４０から水平方向に抜ける方向に力が加わったとしても、作動部２４がアタッチメント部材２６ａから不意に外れてしまうことを抑制することができる。
【０１１１】
また、アタッチメント部材２６ａにおいて第１本体部５１は、凹部５１ｅをさらに有する。凹部５１ｅは、周方向において第１開口部５１ａと別の位置に設けられる。凹部５１ｅは、例えば、第１開口部５１ａと反対側に設けられる。凹部５１ｅは、第１本体部５１の上端から下方に向かって凹む。凹部５１ｅは、例えば、作動部２４のケース２４ａの上端近傍まで延びる。凹部５１ｅの下端が、ケース２４ａの上端よりも上に位置する場合、凹部５１ｅの下端とケース２４ａの上端との間の距離は、例えば、２ｍｍ以下である。凹部５１ｅの下端は、例えば、ケース２４ａの上端と同じ高さ、あるいはケース２４ａの上端よりも下方まで延びることが好ましい。
【０１１２】
これにより、第１開口部５１ａの上に抜け止め部６１を設けた場合にも、作動部２４の上部（作動部２４と第１本体部５１とで囲まれた空間）に水が溜まることを抑制することができる。例えば、作動部２４の上部において汚れなどが発生し易くなることを抑制することができる。
【０１１３】
図１１（ａ）及び図１１（ｂ）は、実施形態に係るアタッチメント部材の変形例を表す斜視図である。  
図１１（ａ）及び図１１（ｂ）に表したように、アタッチメント部材２６ｂでは、第１開口部５１ａが、第１本体部５１の下端から上端まで連続する。この例において、第１開口部５１ａの横幅は、第１本体部５１の下端から上端まで実質的に一定である。第１開口部５１ａの横幅は、必ずしも一定である必要はなく、変化してもよい。
【０１１４】
第１本体部５１は、第１開口部５１ａの両側に設けられた一対のフック５１ｆを有する。抜け止め部６２は、各フック５１ｆに係合することにより、第１本体部５１の第１開口部５１ａに隣接する両端側を連結するように第１本体部５１に取り付けられる。抜け止め部６２は、各フック５１ｆとの係合により、第１本体部５１に対して着脱可能に取り付けられる。
【０１１５】
抜け止め部６２は、第１本体部５１に取り付けられ、各フック５１ｆとの係合により、第１開口部５１ａの広がりを規制する。これにより、抜け止め部６２は、第１本体部５１内に挿入された作動部２４の上部が第１本体部５１から水平方向に抜け出ることを抑制する。
【０１１６】
これにより、アタッチメント部材２６ｂでは、第１開口部５１ａの側方から第１本体部５１内に水平方向に作動部２４を挿入した後に抜け止め部６２を取り付けることにより、作動部２４の側方からの挿入し易さを確保することができる。そして、抜け止め部６２の取り付け後においては、第１本体部５１内に挿入された作動部２４に対して、第１本体部５１から水平方向に抜ける方向に力が加わったとしても、第１開口部５１の横幅が作動部２４の横幅よりも広くなることを、抜け止め部６２が抑制する。従って、作動部２４の側方からの挿入し易さを確保しつつ、作動部２４がアタッチメント部材２６ｂの保持部４０から水平方向に抜ける方向に力が加わったとしても、作動部２４がアタッチメント部材２６ｂから不意に外れてしまうことを抑制することができる。
【０１１７】
また、アタッチメント部材２６ｂでは、抜け止め部６２が、第１本体部５１の第１開口部５１ａに隣接する両側端を連結するように第１本体部５１に取り付けられる。これにより、第１開口部５１ａの広がりを適切に抑制することができ、作動部２４がアタッチメント部材２６ｂから不意に外れてしまうことを、より確実に抑制することができる。
【０１１８】
なお、抜け止め部６２の取付方法は、各フック５１ｆとの係合に限ることなく、第１本体部５１の両側端を連結するように取り付け可能、かつ第１開口部５１ａの広がりを規制可能な任意の取付方法でよい。抜け止め部６２は、例えば、接着などで第１本体部５１に取り付けてもよい。抜け止め部６２は、必ずしも第１本体部５１に対して着脱可能でなくてもよい。
【０１１９】
図１２（ａ）及び図１２（ｂ）は、実施形態に係るアタッチメント部材の変形例を表す斜視図である。  
図１２（ａ）及び図１２（ｂ）に表したように、アタッチメント部材２６ｃでは、アタッチメント部材２６ｂと同様に、第１開口部５１ａが、第１本体部５１の下端から上端まで連続する。そして、アタッチメント部材２６ｃでは、抜け止め部６３が、第１本体部５１の外側を囲うように取り付けられる筒状である。抜け止め部６３は、第１本体部５１の外側に嵌ることにより、第１本体部５１に対して着脱可能に取り付けられる。抜け止め部６３は、第１本体部５１の外側に嵌り、第１本体部５１に取り付けられることにより、第１開口部５１ａの広がりを規制する。これにより、抜け止め部６３は、第１本体部５１内に挿入された作動部２４の上部が第１本体部５１から水平方向に抜け出ることを抑制する。
【０１２０】
このように、アタッチメント部材２６ｃにおいても、アタッチメント部材２６ｂと同様に、第１開口部５１ａから第１本体部５１内に作動部２４を側方から挿入した後に抜け止め部６３を取り付けることにより、作動部２４の側方からの挿入し易さを確保することができる。そして、抜け止め部６３の取り付け後においては、第１本体部５１内に挿入された作動部２４に対して、第１本体部５１から水平方向に抜ける方向に力が加わったとしても、第１開口部５１の横幅が作動部２４の横幅よりも広くなることを、抜け止め部６３が抑制する。従って、作動部２４の側方からの挿入し易さを確保しつつ、作動部２４がアタッチメント部材２６ｃの保持部４０から水平方向に抜ける方向に力が加わったとしても、作動部２４がアタッチメント部材２６ｃから不意に外れてしまうことを抑制することができる。
【０１２１】
抜け止め部６３を第１本体部５１の外側を囲うように取り付けられる筒状とすることにより、第１開口部５１ａの広がりを適切に抑制することができ、作動部２４がアタッチメント部材２６ｃから不意に外れてしまうことを、より確実に抑制することができる。
【０１２２】
この例において、抜け止め部６３は、断面略環状の筒状である。抜け止め部６３は、例えば、第１開口部５１ａよりも狭いスリット状の切れ込み（開口部）を有する断面略Ｃ字状の筒状でもよい。
【０１２３】
図１３（ａ）及び図１３（ｂ）は、実施形態に係るアタッチメント部材の変形例を表す斜視図及び上面図である。  
図１３（ａ）及び図１３（ｂ）に表したように、アタッチメント部材２６ｄは、保持部４０と、複数の支持部４６と、を有する。複数の支持部４６は、保持部４０と一体であり、保持部４０から外方に向かって延び、排水口１０２ａ又は配管２００に保持部４０を支持する。
【０１２４】
この例において、アタッチメント部材２６ｄは、３つの支持部４６ａ〜４６ｃを有する。複数の支持部４６の１つである支持部４６ａは、第１本体部５１の一方の側端部５１ｂから外方に向かって延びる。複数の支持部４６の別の１つである支持部４６ｂは、第１本体部５１の他方の側端部５１ｃから外方に向かって延びる。これにより、作動部２４を第１開口部５１ａに側方から挿入する際に、作動部２４を２つの支持部４６ａ、４６ｂによって第１開口部５１ａにガイドすることができる。これにより、作動部２４の第１開口部５１ａに対する位置調整をし易くし、作動部２４を第１開口部５１ａに側方から挿入し易くすることができる。従って、組み付け作業をより簡単にすることができる。
【０１２５】
また、支持部４６ｃは、第１本体部５１の第１開口部５１ａと反対側の側方から、第１開口部５１ａと反対側に向かって外方に延びる。以下、複数の支持部４６の構成は、上記各実施形態の複数の連結部４２の構成と実質的に同じであるから詳細な説明は省略する。
【０１２６】
このように、台座部４４を設けることなく、複数の支持部４６によって排水口１０２ａ又は配管２００に保持部４０を取り付けるようにしてもよい。このアタッチメント部材２６ｄにおいても、上記各実施形態と同様に、抜け止め部６０（又は抜け止め部６１〜６３）を設けることにより、作動部２４がアタッチメント部材２６ｄから不意に外れてしまうことを抑制することができる。また、簡単な構成で、簡単に組み付け作業を行うことができる排水栓装置１０を提供することもできる。
【０１２７】
支持部４６の保持部４０と反対側の端部には、周方向に延びる突出部４８が設けられている。これにより、例えば、排水口１０２ａ又は配管２００の内周面との接触面積を大きくし、アタッチメント部材２６ｄをより安定的に排水口１０２ａ又は配管２００に取り付けることができる。
【０１２８】
アタッチメント部材２６ｄでは、例えば、各支持部４６の突出部４８を載置部２２０の上に載置することにより、配管２００内における下方への移動が規制される。また、アタッチメント部材２６ｄでは、各突出部４８が、排水口部材２２により下方に押付けられることにより、上方への移動が規制される。各突出部４８は、例えば、配管２００内において、第１収納空間２２１内に収納され、載置部２２０と排水口部材２２との間に挟み込まれる。突出部４８の構成は、換言すれば、台座部４４のスリット部５４で分割された部分の周方向の長さを短くした構成である。
【０１２９】
図１４（ａ）及び図１４（ｂ）は、実施形態に係るアタッチメント部材の変形例を表す斜視図である。  
図１４（ａ）及び図１４（ｂ）に表したように、アタッチメント部材２６ｅでは、台座部４４が、保持部４０と別体である。保持部４０は、第１本体部５１と第１開口部５１ａとを有するとともに、第１本体部５１を台座部４４に接続するための複数の脚部５６を有する。
【０１３０】
各脚部５６は、第１本体部５１の下端付近から外方向かって延びるとともに、下方に向かって延びる。各脚部５６の下端は、第１本体部５１の下端よりも下方に位置する。また、各脚部５６の下端には、外方に向かって延びる係合爪５６ａが設けられている。
【０１３１】
各脚部５６は、例えば、第１本体部５１の軸周りに等間隔に配置される。この例において、第１本体部５１は、３つの脚部５６を有する。３つの脚部５６は、第１本体部５１の軸周りに１２０°おきに配置される。脚部５６の数は、３つに限ることなく、２つでもよいし、４つ以上でもよい。
【０１３２】
台座部４４は、筒状の第２本体部５２を有する。この例において、第２本体部５２は、第２開口部５２ａを有しない環状の筒状である。第２本体部５２の内周面には、保持部４０の各脚部５６の係合爪５６ａと係合する複数の係合溝５８が設けられている。この例において、第２本体部５２は、３つの脚部５６のそれぞれの係合爪５６ａに対応する３つの係合溝５８を有する。保持部４０は、各係合爪５６ａを各係合溝５８に係合させることにより、台座部４４に取り付けられる。
【０１３３】
台座部４４は、規制部４５を有する。このように、規制部４５は、保持部４０と別体に形成してもよい。台座部４４は、第２本体部５２を載置部２２０の上に載置することにより、配管２００内に取り付けられる。そして、台座部４４は、規制部４５を配管２００の第２管部２１２の内面に側方から当接させることにより、浴槽１００に対して第１開口部５１ａが所定の方向を向くように第１開口部５１ａの位置を規制する。
【０１３４】
図１５は、実施形態に係る排水栓装置の変形例の一部を表す上面図である。  
図１５では、アタッチメント部材２６ｅを用いた排水栓部１２において、図７に関する説明と同様に、栓蓋２０を取り外した状態を表している。  
図１５に表したように、保持部４０と台座部４４とを別体にしたアタッチメント部材２６ｅでは、保持部４０と台座部４４とを一体にしたアタッチメント部材２６などと比べて、第１開口部５１ａをより側壁１１０側に向けることができる。
【０１３５】
例えば、アタッチメント部材２６ｅでは、上面視において、第１本体部５１の中心と第１開口部５１ａの中央とを結ぶ線分の延長線ＥＬを、側壁１１０と略直交させることができる。例えば、上面視において延長線ＥＬと側壁１１０との成す角度を、７０°以上１１０°以下にすることができる。
【０１３６】
保持部４０と台座部４４とを一体にしたアタッチメント部材２６などでは、作動部２４を挿入し易くするため、台座部４４の第２本体部５２に第２開口部５２ａを設ける必要がある。このため、保持部４０と台座部４４とを一体にしたアタッチメント部材２６などでは、第１開口部５１ａを完全に側壁１１０側に向けることが難しい。すなわち、延長線ＥＬを側壁１１０と略直交させることが難しい。
【０１３７】
これに対して、保持部４０と台座部４４とを別体にしたアタッチメント部材２６ｅでは、作動部２４を保持部４０に保持させた後に、保持部４０を台座部４４に取り付けることができるため、台座部４４の第２本体部５２に第２開口部５２ａを設ける必要がない。従って、アタッチメント部材２６ｅでは、第１開口部５１ａを完全に側壁１１０側に向けることができる。
【０１３８】
これにより、アタッチメント部材２６ｅでは、栓蓋２０を引き抜く際などに、より側壁１１０が邪魔となり、作動部２４及び保持部４０に対して、作動部２４が保持部４０から水平方向に抜ける方向の力をより加わり難くすることができる。例えば、作動部２４がアタッチメント部材２６から不意に外れてしまうことを、より確実に抑制することができる。
【０１３９】
他方、保持部４０と台座部４４とを別体にした場合には、誤って、第１開口部５１ａを側壁１１０と反対側に向けた状態で、保持部４０を台座部４４に取り付けてしまう可能性が生じる。保持部４０と台座部４４とを一体にした場合には、こうした取り付けミスの発生を確実に抑制することができる。
【０１４０】
例えば、保持部４０と台座部４４とを別体とした場合には、第１開口部５１ａの向きが一義的に決まるように、脚部５６などの形状を工夫することが好ましい。これにより、保持部４０と台座部４４とを別体とした場合にも、取り付けミスの発生を抑制することができる。例えば、複数の脚部５６のそれぞれの幅を変化させるとともに、複数の係合溝５８のそれぞれの幅を各脚部５６に対応させて変化させ、１つの脚部５６が１つの係合溝５８のみと係合するようにする。これにより、保持部４０と台座部４４とを別体とした場合にも、第１開口部５１ａの向きを一義的に決めることができる。
【０１４１】
上記各実施形態では、排水栓装置１０が取り付けられる水槽として、浴槽１００を示している。水槽は、浴槽１００に限ることなく、例えば、洗面化粧台の洗面器（洗面ボウル）などでもよい。排水栓装置１０を取り付ける水槽は、内部に溜めた水を排水口から排出可能な任意の水槽でよい。
【０１４２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、排水栓装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１４３】
１０ 排水栓装置、  １２ 排水栓部、  １４ 操作部、  １６ レリースワイヤ、  １８ ホース、  ２０ 栓蓋、  ２１ パッキン、  ２２ 排水口部材、  ２４ 作動部、  ２４ａ ケース、  ２４ｂ 支持軸、  ２６、２６ａ、２６ｂ、２６ｃ、２６ｄ、２６ｅ アタッチメント部材、  ４０ 保持部、  ４２ 連結部、  ４４ 台座部、  ４５ 規制部、  ４６ 支持部、  ４８ 突出部、  ５１ 第１本体部、  ５１ａ 第１開口部、  ５２ 第２本体部、  ５２ａ 第２開口部、  ５４ スリット部、  ５６ 脚部、  ５８ 係合溝、  ６０〜６３ 抜け止め部、  １００ 浴槽、  １０２ 排水口部、  １０２ａ 排水口、  １０４ リム面、  １０６ 貫通孔、  ２００ 配管、  ２０２ 貫通孔、  ２１１ 第１管部、  ２１２ 第２管部、  ２１４ 雌ねじ部、  ２２０ 載置部、  ２２１ 第１収納空間、  ２２２ 第２収納空間
【図１】
2018115467.tif 000003
【図２】
2018115467.tif 000004
【図３】
2018115467.tif 000005
【図４】
2018115467.tif 000006
【図５】
2018115467.tif 000007
【図６】
2018115467.tif 000008
【図７】
2018115467.tif 000009
【図８】
2018115467.tif 000010
【図９】
2018115467.tif 000011
【図１０】
2018115467.tif 000012
【図１１】
2018115467.tif 000013
【図１２】
2018115467.tif 000014
【図１３】
2018115467.tif 000015
【図１４】
2018115467.tif 000016
【図１５】
2018115467.tif 000017